(57)【要約】【課題】１つのファンで給気と排気の両方を同時に行うことができ、かつ、給気と排気の方向および風量の比率を任意に選択できるクロスフローファンモータを安価に提供することを目的とする。【解決手段】モータ１に駆動される一対のエンドプレート３の間に、所定間隔で少なくとも１つ以上のファンプレート４を立設したクロスフローファン２と、クロスフローファン２の外側に配置され空気の入口５および出口６を有し、前記の１つのファンプレート位置で分割されたケーシングＡ，Ｂとから構成され、このケーシングの片方をクロスフローファンの軸を中心に円周方向に回転させることにより、１つのファンで給気と排気の両方が同時にできることになる。【選択図】  図１
2004271115.tif 000002
【特許請求の範囲】
【請求項１】
モータにより駆動される一対のエンドプレートの間に、少なくとも１つ以上のファンプレートを立設したクロスフローファンと、クロスフローファンの外側に配置され空気の入口および出口を有し、前記の１つのファンプレート位置で分割されたケーシングＡ、Ｂとから構成され、このケーシングの片方をクロスフローファンの軸を中心に円周方向に回転させることにより、１つのファンで給気と排気の両方が同時にできるクロスフローファンモータ。
【請求項２】
前記ケーシングＡ，Ｂの長さを任意に変えることにより、給気と排気の比率を制御できる請求項１記載のクロスフローファンモータ。
【請求項３】
前記ケーシングＡとＢの側板の繋ぎ部に円周方向に長穴を設け、ケーシングＡに対しケーシングＢを任意の角度の位置で固定できる請求項１または２記載のクロスフローファンモータ。
【請求項４】
モータにより駆動されるクロスフローファンＡ，Ｂと、クロスフローファンＡ，Ｂの外側に配置された空気の入口および出口を有するケーシングＣ，Ｄを、モータを挟んで両側に配し、一方のケーシングＤをクロスフローファンＢの軸中心に対して約１８０°回転した位置で固定してなるクロスフローファンモータ。
【発明の詳細な説明】
【０００１】
【発明の属する技術分野】
本発明は、クロスフローファンモータに関し、特に、窓用換気扇または壁埋め込み用換気扇としても使用できるものに関する。
【０００２】
【従来の技術】
室内外の空気の入れ替えは、建物の気密化が進んでおり、居住空間の快適性を確保する上でも大変重要な意味を持って来ている。この傾向は今後ますます進むものと思われる。
【０００３】
従来、この種の窓に設置される換気扇としては、プロペラファンタイプが多かったが、窓の面積を小さくしてしまうことや、壁に孔を開ける必要があり、大がかりな工事が必要となるといった問題がある等の理由から、クロスフローファンモータを使用することが増加している。
【０００４】
従来、この種のクロスファンモータは、特許文献１に開示されたものが知られている（例えば、特許文献１参照）。
【０００５】
以下、そのクロスファンモータについて図４を参照しながら説明する。
【０００６】
図に示すように、円筒状の羽根車１０４と、羽根車１０４の外側に配置され、空気の入口１０８及び出口１０９を有するケーシング１０２、１０３とケーシング１０２、１０３の円弧状の外周を支持する枠体１０１と、ケーシング１０２、１０３と一体に設けられた回動部材（ウォームホイール）１０５と、該回動部材を任意の角度だけ回転させるウォームギヤ１０６ａと、チェーン１０６ｂとハンドル１０６ｃとからなる。ハンドル１０６ｃを回転すると、回動部材１０５が回り、ケーシング１０２、１０３が回って入口１０８、出口１０９の方向が変化する。ケーシングを１８０°回転すれば、入口と出口が反転し、１つのファンで吸気と排気の双方ができることになる。
【０００７】
【特許文献１】
特開平１０−２５３１０９号公報（第８頁、図４）
【０００８】
【発明が解決しようとする課題】
このような従来のクロスフローファンモータでは、１つのファンで給気と排気の双方ができるものの、気密化の進んでいる最近の住宅においては圧損が掛かり過ぎるため、給気、排気単独では殆ど要望する風量が得られないという課題があり、給気と排気が同時に行えることが要求されている。
【０００９】
また、給気と排気の変更にはケーシングの反転が必要で、そのためには多くの部材を必要とするという課題があり、多くの部材を必要としないで安価なクロスフローファンモータを安価に提供することが要求されている。
【００１０】
本発明は、このような従来の課題を解決するものであり、１つのファンで給気と排気を同時に行うことができ、また、給気と排気の比率を他の多くの部材を必要とせずにできるため、安価に提供することのできるクロスフローファンモータを提供することを目的としている。
【００１１】
【課題を解決するための手段】
本発明のクロスフローファンモータは上記目的を達成するために、クロスフローファンの１つのファンプレート位置で分割されたケーシングを有し、このケーシングの片方をクロスフローファンの円周方向に回転できる構成としたものである。
【００１２】
本発明によれば、給気と排気が１つのファンで同時に行うことができ、気密性が高い居住空間においても、容易に空気の入れ替えをすることができるクロスフローファンモータが得られる。
【００１３】
また他の手段は、ケーシングＡとＢの長さを任意に変えることができるようにしたものである。
【００１４】
本発明によれば、給気と排気の風量の比率を容易に制御することができるクロスフローファンモータが得られる。
【００１５】
また他の手段は、ケーシングＡとＢの側板の繋ぎ部に円周方向に長穴を設け、ケーシングＡに対しケーシングＢを任意の角度の位置で固定できるように構成としたものである。
【００１６】
本発明によれば、他の多くの部材を必要とすることなく安価に提供できるクロスフローファンモータが得られる。
【００１７】
また他の手段は、モータにより駆動される任意の長さを有するクロスフローファンＡ，Ｂと、クロスフローファンＡ，Ｂの外側に配置された空気の入口および出口を有するケーシングＣ，Ｄを、モータを挟んで両側に配し、一方のケーシングＤをクロスフローファンＢの軸中心に対して約１８０°回転した位置で固定した構成としたものである。
【００１８】
本発明によれば、給気と排気が１つのモータで同時に行うことができ、給気および排気の風量を増大させるクロスフローファンモータが得られる。
【００１９】
【発明の実施の形態】
本発明の請求項１記載の発明は、モータにより駆動される一対のエンドプレートの間に、少なくとも１つ以上のファンプレートを立設したクロスフローファンと、クロスフローファンの外側に配置され空気の入口および出口を有し、１つのファンプレート位置で分割されたケーシングＡ、Ｂとから構成され、このケーシングの片方をクロスフローファンの円周方向に回転できるようにしたものであり、ケーシングＡとＢの入口と出口の位置が約１８０°異なることにより、１つのファンで給気と排気の両方が同時に行えるという作用を有する。
【００２０】
また、請求項２記載の発明はケーシングＡ，Ｂの長さを任意に変えられるようにしたものであり、給気と排気の比率を容易に制御することができる。
【００２１】
また、請求項３記載の発明は、ケーシングＡとＢの繋ぎ目に円周方向に長穴を設けたものであり、ネジ等により、ケーシングＡに対しケーシングＢを任意の角度で固定でき、他の多くの部材を必要とすることなく安価に提供できるクロスフローファンモータが得られる。
【００２２】
また、請求項４記載の発明は、クロスフローファンおよびケーシングを、モータを挟んで両側に配し、一方のケーシングをクロスフローファンの軸中心に対して約１８０°回転した位置で固定したもので、１つのモータで給気と排気の両方が行え、その風量を増大することができる。
【００２３】
以下、本発明の実施例について図面を参照しながら説明する。
【００２４】
【実施例】
（実施例１）
図１に示すように、モータ１により駆動される一対のエンドプレート３の間に、所定間隔で少なくとも１つ以上のファンプレート４を立設したクロスフローファン２と、クロスフローファン２の外側に配置され空気の入口５および出口６を有し、任意位置のファンプレート４の位置で分割されたケーシングＡ７ａ、Ｂ７ｂを備え、このケーシングＢ７ｂはクロスフローファン２の軸を中心に円周方向に回転可能に構成されている。
【００２５】
上記構成において、ケーシングＢ７ｂをクロスフローファン２の軸を中心に円周方向に約１８０°回転させることにより、ケーシングＡ７ａの空気の入口５ａおよび出口６ａは、クロスフローファンの軸中心に対して、ケーシングＢ７ｂの空気の入口５ｂおよび出口６ｂと対向する形となり、１つのクロスフローファン２で、給気と排気の両方が同時にできるクロスフローファンモータが得られる。
【００２６】
また、図に示したものは前記ケーシングＡ７ａとケーシングＢ７ｂをクロスフローファン２のファンプレート４の位置で、給気と排気の比率を２：３にしたものであるが、他のファンプレート４の位置で分割することにより、給気と排気の風量の比率を任意に制御することができる。
【００２７】
なお、実施例では、複数個のファンプレート４を用いたが、ファンブレード８を長くしてファンプレート４の個数を少なくしてもよく、その作用効果に差異を生じない。
【００２８】
（実施例２）
図２は、ケーシングＡ７ａとケーシングＢ７ｂの側板９ａ、９ｂの繋ぎ部１０ａ、１０ｂの部分斜視図である。ケーシングＡ７ａの側板９ａに内径φＥを有する円筒状の繋ぎ部１０ａを設け、この繋ぎ部１０ａに丸穴１１を設ける。一方のケーシングＢ７ｂの側板９ｂに、繋ぎ部１０ａの内径φＥに収まる外径寸法φＦを有した円筒状の繋ぎ部１０ｂを設け、この繋ぎ部１０ｂに円周方向に長穴１２を設ける。
【００２９】
上記構成において、ケーシングＡ７ａに対してケーシングＢ７ｂを任意の角度回転した位置で、蝶ボルト、ナット等により容易に固定することができるので、給気、排気の風の方向を任意に選択することができる。
【００３０】
なお、実施例では、ケーシングＡ７ａの側板９ａに丸穴１１、ケーシングＢ７ｂの側板９ｂに長穴１２を設けたが、逆に側板９ａに長穴１２、側板９ｂに丸穴１１を設けてもよく、その作用効果に差異を生じない。
【００３１】
また、実施例ではケーシングＡ７ａとケーシングＢ７ｂの固定に蝶ボルト、ナットを用いたが、他の手段でも容易に固定できるものであればよく、その作用効果に差異を生じない。
【００３２】
（実施例３）
図３に示すように、モータ１により駆動されるクロスフローファンＡ１３ａ、Ｂ１３ｂとクロスフローファンＡ１３ａ、Ｂ１３ｂの外側に配置された空気の入口（図示せず）および出口（図示せず）を有するケーシングＣ１４ａ、Ｄ１４ｂを、モータ１を挟んで両側に配し、一方のケーシングＤ１４ｂをクロスフローファンＢ１３ｂの軸中心に対して約１８０°回転した位置で固定されている。
【００３３】
１つのクロスフローファンでは長さに限界があるため、より大きな給気風量、排気風量を１つのモータで同時に得ることができる。
【００３４】
【発明の効果】
以上の実施例から明らかなように、本発明によれば給気と排気が１つのファンで同時に行うことができ、気密性の高い居住空間においても容易に空気の入れ替えをすることができるという効果のあるクロスフローファンモータを提供できる。
【００３５】
また、ケーシングの長さを任意に変えることにより、給気と排気の風量の比率を容易に制御することができる。
【００３６】
また、一方のケーシングを回転させて容易に固定できるので、他の多くの部材を必要とせず、安価なクロスフローファンモータを提供できる。
【００３７】
また、本発明によれば１つのモータで給気と排気を同時に行うことができ、そして、大風量のクロスフローファンモータを提供できる。
【図面の簡単な説明】
【図１】（ａ）本発明の実施例１のクロスフローファンモータの概略構成を示す正面図
（ｂ）同図１（ａ）のＡ−Ａ’断面図
（ｃ）同図１（ａ）のＢ−Ｂ’断面図
【図２】本発明の実施例２の同ケーシング側板の部分斜視図
【図３】本発明の実施例３の同正面図
【図４】（ａ）従来のクロスフローファンモータの概略構成を示す上面図
（ｂ）同図４（ａ）同正面図
【符号の説明】
１      モータ
２      クロスフローファン
３      エンドプレート
４      ファンプレート
５ａ    ケーシングＡの空気の入口
５ｂ    ケーシングＢの空気の入口
６ａ    ケーシングＡの空気の出口
６ｂ    ケーシングＢの空気の出口
７ａ    ケーシングＡ
７ｂ    ケーシングＢ
８      ファンブレード
９ａ    ケーシングＡの側板
９ｂ    ケーシングＢの側板
１０ａ  ケーシングＡの繋ぎ部
１０ｂ  ケーシングＢの繋ぎ部
１１    丸穴
１２    長穴
１３ａ  クロスフローファンＡ
１３ｂ  クロスフローファンＢ
１４ａ  ケーシングＡ
１４ｂ  ケーシングＢ
【図１】
2004271115.tif 000003
【図２】
2004271115.tif 000004
【図３】
2004271115.tif 000005
【図４】
2004271115.tif 000006